(57)【特許請求の範囲】
【請求項１】
住戸人が使用する親機と、来訪者が使用する子機と、前記住戸人の音声を集音し音声信号に変換する親機マイクロホンと、前記音声信号の周波数を変えて音声変換する音声変換手段と、前記住戸人が原音の音声信号および音声変換された音声信号の何れかを選択する音声変換スイッチと、前記音声変換された音声信号の周波数を検出する音声変換周波数検出手段と、この音声変換周波数検出手段により検出された周波数に基づいて前記音声変換手段から出力される前記音声変換された音声信号の出力レベルを設定する音声変換出力レベル設定手段とを備え、前記音声変換出力レベル設定手段が、前記原音の音声信号および前記音声変換された音声信号における通話当量が同じになるよう前記音声変換された音声信号の出力レベルを設定するようにしたことを特徴とするインターホンシステム。
【請求項２】
更に、前記音声変換の周波数を設定する音声変換周波数設定手段を備えたことを特徴とする請求項１に記載のインターホンシステム。
【請求項３】
更に、予め決められた前記音声変換の周波数を記憶する周波数記憶手段を備え、前記音声変換手段が、前記住戸人の音声信号を前記周波数記憶手段に予め記憶された周波数で音声変換するようにしたことを特徴とする請求項１または請求項２に記載のインターホンシステム。
【請求項４】
更に、前記住戸人の音声変換される音声信号の出力レベルを予め記憶する出力レベル記憶手段を備え、前記音声変換出力レベル設定手段が、前記住戸人の音声変換された音声信号のレベルを前記出力レベル記憶手段に予め記憶された出力レベルにするようにしたことを特徴とする請求項１から請求項３までの何れかに記載のインターホンシステム。
【請求項５】
更に、前記音声変換の周波数を表示する音声変換周波数表示手段を備えたことを特徴とする請求項１から請求項４までの何れかに記載のインターホンシステム。
【請求項６】
更に、前記音声変換の出力レベルを表示する音声変換出力レベル表示手段を備えたことを特徴とする請求項１から請求項５までの何れかに記載のインターホンシステム。
【請求項７】
更に、前記音声変換の周波数の閾値を記憶する周波数閾値記憶手段と、前記音声変換周波数検出手段で検出された周波数と前記周波数閾値記憶手段に記憶された周波数の閾値を比較する周波数比較手段とを備え、前記音声変換出力レベル設定手段が、前記周波数比較手段の比較結果に基づいて前記住戸人の音声変換された音声信号の出力レベルを設定するようにしたことを特徴とする請求項１から請求項６までの何れかに記載のインターホンシステム。
【請求項８】
更に、前記周波数の閾値を設定する周波数閾値設定手段を備え、前記音声変換出力レベル設定手段が、前記音声変換周波数検出手段で検出された周波数と前記周波数閾値設定手段で設定された周波数の閾値を前記周波数比較手段で比較した結果に基づいて前記住戸人の音声変換された音声信号の出力レベルを設定するようにしたことを特徴とする請求項７に記載のインターホンシステム。
【請求項９】
前記周波数比較手段により前記音声変換周波数検出手段で検出された周波数が前記周波数閾値記憶手段に記憶された周波数の閾値よりも小さいと検出されたときは、前記音声変換出力レベル設定手段が、前記住戸人の音声変換された音声信号の出力レベルを増幅するようにしたことを特徴とする請求項７に記載のインターホンシステム。
【請求項１０】
前記周波数比較手段により前記音声変換周波数検出手段で検出された周波数が前記周波数閾値記憶手段に記憶された周波数の閾値よりも大きいと検出されたときは、前記音声変換出力レベル設定手段が、前記住戸人の音声変換された音声信号の出力レベルを減衰するようにしたことを特徴とする請求項７に記載のインターホンシステム。
【請求項１１】
前記周波数比較手段により前記音声変換周波数検出手段で検出された周波数が前記周波数閾値設定手段で設定された周波数の閾値よりも小さいと検出されたときは、前記音声変換出力レベル設定手段が、前記住戸人の音声変換された音声信号の出力レベルを増幅するようにしたことを特徴とする請求項８に記載のインターホンシステム。
【請求項１２】
前記周波数比較手段により前記音声変換周波数検出手段で検出された周波数が前記周波数閾値設定手段で設定された周波数の閾値よりも大きいと検出されたときは、前記音声変換出力レベル設定手段が、前記住戸人の音声変換された音声信号の出力レベルを減衰するようにしたことを特徴とする請求項８に記載のインターホンシステム。
【請求項１３】
更に、音声信号を記憶する音声記憶手段を備え、前記音声変換手段が、前記音声記憶手段に記憶された前記音声信号を周波数変換するようにしたことを特徴とする請求項１から請求項１２までの何れかに記載のインターホンシステム。
【請求項１４】
更に、前記音声変換出力レベル設定手段により出力レベルが設定された音声変換後の音声信号を記憶する変換音声記憶手段と、この変換音声記憶手段により記憶された前記音声変換後の音声信号を再生する変換音声再生手段とを備え、前記住戸人が、前記音声変換後の音声信号の出力レベルを前記変換音声再生手段により確認するようにしたことを特徴とする請求項１から請求項１３までの何れかに記載のインターホンシステム。
【請求項１５】
前記親機が、前記変換音声再生手段を備え、前記住戸人が、前記音声変換後の音声信号の出力レベルを親機で確認するようにしたことを特徴とする請求項１４に記載のインターホンシステム。
【請求項１６】
前記子機が、前記変換音声再生手段を備え、前記住戸人が、前記音声変換後の音声信号の出力レベルを子機で確認するようにしたことを特徴とする請求項１４に記載のインターホンシステム。
【請求項１７】
更に、前記音声変換手段に入力される音声信号の入力レベルを予め決められた固定レベルにする音声変換入力レベル固定手段を備えたことを特徴とする請求項１から請求項１６までの何れかに記載のインターホンシステム。
【請求項１８】
更に、前記音声変換手段から出力される音声信号の出力レベルを予め決められた固定レベルにする音声変換出力レベル固定手段を備えたことを特徴とする請求項１から請求項１６までの何れかに記載のインターホンシステム。
【請求項１９】
更に、前記来訪者を撮影するカメラユニットと、このカメラユニットで撮影された映像を表示する映像表示手段とを備えたことを特徴とする請求項１から請求項１８までの何れかに記載のインターホンシステム。
【請求項２０】
前記音声変換の周波数を前記映像表示手段に表示することを特徴とする請求項１９に記載のインターホンシステム。
【請求項２１】
前記音声変換出力レベル設定手段で設定された前記音声変換後の音声信号の出力レベルを前記映像表示手段に表示することを特徴とする請求項１９に記載のインターホンシステム。
【請求項２２】
住戸人が使用する親機使用手順と、来訪者が使用する子機使用手順と、前記住戸人の音声を集音し音声信号に変換する住戸人音声集音工程と、前記音声信号の周波数を変えて音声変換する音声変換工程と、前記住戸人が原音の音声信号および音声変換された音声信号の何れかを選択する音声信号選択工程と、前記音声変換された音声信号の周波数を検出する音声変換周波数検出工程と、この音声変換周波数検出工程において検出された周波数に基づいて前記音声変換工程で出力される前記音声変換された音声信号の出力レベルを設定する音声変換出力レベル設定工程とを含み、前記音声変換出力レベル設定工程において、前記原音の音声信号および前記音声変換された音声信号における通話当量が同じになるよう前記音声変換された音声信号の出力レベルを設定することを特徴とする音声変換出力レベル設定方法。
【請求項２３】
更に、前記音声変換の周波数を設定する音声変換周波数設定工程を含むことを特徴とする請求項２２に記載の音声変換出力レベル設定方法。
【請求項２４】
更に、予め決められた前記音声変換の周波数を記憶する周波数記憶工程を含み、前記音声変換工程において、前記住戸人の音声信号を前記周波数記憶工程において予め記憶された周波数で音声変換するようにしたことを特徴とする請求項２２または請求項２３に記載の音声変換出力レベル設定方法。
【請求項２５】
更に、前記住戸人の音声変換される音声信号の出力レベルを予め記憶する出力レベル記憶工程を含み、前記音声変換出力レベル設定工程において、前記住戸人の音声変換された音声信号のレベルを前記出力レベル記憶工程において予め記憶された出力レベルにすることを特徴とする請求項２２から請求項２４までの何れかに記載の音声変換出力レベル設定方法。
【請求項２６】
更に、前記音声変換の周波数を表示する音声変換周波数表示工程を含むことを特徴とする請求項２２から請求項２５までの何れかに記載の音声変換出力レベル設定方法。
【請求項２７】
更に、前記音声変換の出力レベルを表示する音声変換出力レベル表示工程を含むことを特徴とする請求項２２から請求項２６までの何れかに記載の音声変換出力レベル設定方法。
【請求項２８】
更に、前記音声変換の周波数の閾値を記憶する周波数閾値記憶工程と、前記音声変換周波数検出工程で検出された周波数と前記周波数閾値記憶工程において記憶された周波数の閾値を比較する周波数比較工程とを含み、前記音声変換出力レベル設定工程において、前記周波数比較工程の比較結果に基づいて前記住戸人の音声変換された音声信号の出力レベルが設定されることを特徴とする請求項２２から請求項２７までの何れかに記載の音声変換出力レベル設定方法。
【請求項２９】
更に、前記周波数の閾値を設定する周波数閾値設定工程を含み、前記音声変換出力レベル設定工程において、前記音声変換周波数検出工程で検出された周波数と前記周波数閾値設定工程で設定された周波数の閾値を前記周波数比較工程で比較した結果に基づいて前記住戸人の音声変換された音声信号の出力レベルが設定されることを特徴とする請求項２８に記載の音声変換出力レベル設定方法。
【請求項３０】
前記周波数比較工程において前記音声変換周波数検出工程で検出された周波数が前記周波数閾値記憶工程において記憶された周波数の閾値よりも小さいと検出されたとき、前記音声変換出力レベル設定工程において、前記住戸人の音声変換された音声信号の出力レベルを増幅することを特徴とする請求項２８に記載の音声変換出力レベル設定方法。
【請求項３１】
前記周波数比較工程において前記音声変換周波数検出工程で検出された周波数が前記周波数閾値記憶工程において記憶された周波数の閾値よりも大きいと検出されたとき、前記音声変換出力レベル設定工程において、前記住戸人の音声変換された音声信号の出力レベルを減衰することを特徴とする請求項２８に記載の音声変換出力レベル設定方法。
【請求項３２】
前記周波数比較工程において前記音声変換周波数検出工程で検出された周波数が前記周波数閾値設定工程において設定された周波数の閾値よりも小さいと検出されたとき、前記音声変換出力レベル設定工程において、前記住戸人の音声変換された音声信号の出力レベルを増幅することを特徴とする請求項２９に記載の音声変換出力レベル設定方法。
【請求項３３】
前記周波数比較工程において前記音声変換周波数検出工程で検出された周波数が前記周波数閾値設定工程において設定された周波数の閾値よりも大きいと検出されたとき、前記音声変換出力レベル設定工程において、前記住戸人の音声変換された音声信号の出力レベルを減衰することを特徴とする請求項２９に記載の音声変換出力レベル設定方法。
【請求項３４】
更に、音声信号を記憶する音声記憶工程を含み、前記音声変換工程において、前記音声記憶工程において記憶された前記音声信号を周波数変換するようにしたことを特徴とする請求項２２から請求項３３までの何れかに記載の音声変換出力レベル設定方法。
【請求項３５】
更に、前記音声変換出力レベル設定工程において出力レベルが設定された音声変換後の音声信号を記憶する変換音声記憶工程と、この変換音声記憶工程において記憶された前記音声変換後の音声信号を再生する変換音声再生工程とを含み、前記住戸人が、前記音声変換後の音声信号の出力レベルを前記変換音声再生工程において確認することを特徴とする請求項２２から請求項３４までの何れかに記載の音声変換出力レベル設定方法。
【請求項３６】
前記親機使用手順が、前記変換音声再生工程を含み、前記住戸人が、前記音声変換後の音声信号の出力レベルを親機で確認することを特徴とする請求項３５に記載の音声変換出力レベル設定方法。
【請求項３７】
前記子機使用手順が、前記変換音声再生工程を含み、前記住戸人が、前記音声変換後の音声信号の出力レベルを子機で確認することを特徴とする請求項３５に記載の音声変換出力レベル設定方法。
【請求項３８】
更に、前記音声変換工程において入力される音声信号の入力レベルを予め決められた固定レベルにする音声変換入力レベル固定工程を含むことを特徴とする請求項２２から請求項３７までの何れかに記載の音声変換出力レベル設定方法。
【請求項３９】
更に、前記音声変換工程から出力される音声信号の出力レベルを予め決められた固定レベルにする音声変換出力レベル固定工程を含むことを特徴とする請求項２２から請求項３７までの何れかに記載の音声変換出力レベル設定方法。
【請求項４０】
更に、前記来訪者を撮影する撮影工程と、この撮影工程において撮影された映像を表示する映像表示工程とを含むことを特徴とする請求項２２から請求項３９までの何れかに記載の音声変換出力レベル設定方法。
【請求項４１】
前記音声変換の周波数を前記映像表示工程において表示することを特徴とする請求項４０に記載の音声変換出力レベル設定方法。
【請求項４２】
前記音声変換出力レベル設定工程で設定された前記音声変換後の音声信号の出力レベルを前記映像表示工程において表示することを特徴とする請求項４０に記載の音声変換出力レベル設定方法。
【発明の詳細な説明】
【０００１】
【発明の属する技術分野】
本発明は、インターホンシステムに関し、さらに詳しくは、住戸人の音声を音声変換して来訪者に伝達する音声変換機能を有するインターホンシステムに関するものである。
【０００２】
【従来の技術】
従来の音声変換機能を有するインターホンシステムとしては、特開平７−９９５４６号公報等に開示されているようなものが知られている。このような従来のインターホンシステムは、図７に示すように構成されている。図７に示された従来のインターホンシステムは、親機１と子機２とで構成されており、親機１は、住戸人の音声を集音し音声信号に変換する親機マイクロホン３と、来訪者の声を出力する親機スピーカ４と、親機マイクロホン３で集音された住戸人の音声を音声変換する音声変換回路５と、住戸人が原音の音声信号および音声変換された音声信号の何れかを選択する音声変換スイッチ６と、親機１および子機２の通話の制御を行う制御回路７とで構成されている。また、子機２は、来訪者が住戸人を呼び出す呼出スイッチ８と、来訪者の音声を集音し音声信号に変換する子機マイクロホン９と、住戸人の音声を出力する子機スピーカ１０とで構成されている。
【０００３】
次に、従来のインターホンシステムの動作について説明する。まず、来訪者が住戸人を呼び出すために子機の呼出スイッチ８を押すと、親機１の親機スピーカ４から呼出音が発生する。次いで、住戸人は音声変換スイッチ６を押し、音声変換回路５を動作させて親機マイクロホン３により応答する。ここで、音声変換回路５を動作させることにより、子機スピーカ１０からは音声変換された住戸人の音声が出力される。例えば、住戸人が女性である場合でも、親機マイクロホン３で集音された女性の音声の周波数を音声変換回路５により低い周波数に変換した場合は男性の声で応答することができる。次いで、来訪者の応答の音声、例えば、「イロハ商品を販売に参りました」というメッセージが子機マイクロホン９で集音され親機スピーカ４で出力される。この来訪者の応答の内容により、住戸人は面会するか否かを決定し、面会したくない場合は親機マイクロホン３により、例えば、「間に合っています」というメッセージを音声変換回路５により音声変換された音声で応答する。
【０００４】
以上のように、従来のインターホンシステムでも、住戸人の音声を音声変換回路５により音声変換させる音声変換回路を動作させることにより、面会したくない来訪者を撃退することができた。
【０００５】
【発明が解決しようとする課題】
しかしながら、このような従来のインターホンシステムでは、原音の音声信号で応答した場合と音声変換された音声信号で応答した場合とで通話当量が異なるという問題があった。例えば、低い周波数で音声変換された音声信号により応答した場合は、住戸人の音声が原音の音声信号で応答した場合よりも篭ったような状態になるので聞き取りが困難になるという問題があった。一方、高い周波数で音声変換された音声信号により応答した場合は、住戸人の音声が原音の音声信号で応答した場合よりもキンキンとした状態になるので聞き取りが困難になるという問題があった。
【０００６】
本発明は、このような問題を解決するためになされたものであり、来訪者が聞き取り易い音声で応対することができるインターホンシステムおよび音声変換出力レベル設定方法を提供するものである。
【０００７】
【課題を解決するための手段】
本発明のインターホンシステムは、住戸人が使用する親機と、来訪者が使用する子機と、前記住戸人の音声を集音し音声信号に変換する親機マイクロホンと、前記音声信号の周波数を変えて音声変換する音声変換手段と、前記住戸人が原音の音声信号および音声変換された音声信号の何れかを選択する音声変換スイッチと、前記音声変換された音声信号の周波数を検出する音声変換周波数検出手段と、この音声変換周波数検出手段により検出された周波数に基づいて前記音声変換手段から出力される前記音声変換された音声信号の出力レベルを設定する音声変換出力レベル設定手段とを備え、前記音声変換出力レベル設定手段が、前記原音の音声信号および前記音声変換された音声信号における通話当量が同じになるよう前記音声変換された音声信号の出力レベルを設定する構成を有している。この構成により、前記原音の音声信号および前記音声変換された音声信号における通話当量が同じになるよう前記音声変換された音声信号の出力レベルを設定されることとなる。
【０００８】
また、本発明のインターホンシステムは、更に、前記音声変換の周波数を設定する音声変換周波数設定手段を備えた構成を有している。この構成により、前記音声変換の周波数が音声変換周波数設定手段で設定されることとなる。
【０００９】
また、本発明のインターホンシステムは、更に、予め決められた前記音声変換の周波数を記憶する周波数記憶手段を備え、前記音声変換手段が、前記住戸人の音声信号を前記周波数記憶手段に予め記憶された周波数で音声変換する構成を有している。この構成により、前記住戸人の音声信号が、前記周波数記憶手段に予め記憶された周波数で音声変換されることとなる。
【００１０】
また、本発明のインターホンシステムは、更に、前記住戸人の音声変換される音声信号の出力レベルを予め記憶する出力レベル記憶手段を備え、前記音声変換出力レベル設定手段が、前記住戸人の音声変換された音声信号のレベルを前記出力レベル記憶手段に予め記憶された出力レベルにする構成を有している。この構成により、前記住戸人の音声変換された音声信号のレベルが前記出力レベル記憶手段に予め記憶された出力レベルにされることとなる。
【００１１】
また、本発明のインターホンシステムは、更に、前記音声変換の周波数を表示する音声変換周波数表示手段を備えた構成を有している。この構成により、前記音声変換の周波数が表示されることとなる。
【００１２】
また、本発明のインターホンシステムは、更に、前記音声変換の出力レベルを表示する音声変換出力レベル表示手段を備えた構成を有している。この構成により、前記音声変換の出力レベルが表示されることとなる。
【００１３】
また、本発明のインターホンシステムは、更に、前記音声変換の周波数の閾値を記憶する周波数閾値記憶手段と、前記音声変換周波数検出手段で検出された周波数と前記周波数閾値記憶手段に記憶された周波数の閾値を比較する周波数比較手段とを備え、前記音声変換出力レベル設定手段が、前記周波数比較手段の比較結果に基づいて前記住戸人の音声変換された音声信号の出力レベルを設定する構成を有している。この構成により、前記住戸人の音声変換された音声信号の出力レベルが前記周波数比較手段の比較結果に基づいて設定されることとなる。
【００１４】
また、本発明のインターホンシステムは、更に、前記周波数の閾値を設定する周波数閾値設定手段を備え、前記音声変換出力レベル設定手段が、前記音声変換周波数検出手段で検出された周波数と前記周波数閾値設定手段で設定された周波数の閾値を前記周波数比較手段で比較した結果に基づいて前記住戸人の音声変換された音声信号の出力レベルを設定する構成を有している。この構成により、前記音声変換周波数検出手段で検出された周波数と前記周波数閾値設定手段で設定された周波数の閾値を前記周波数比較手段で比較した結果に基づいて前記住戸人の音声変換された音声信号の出力レベルが設定されることとなる。
【００１５】
また、本発明のインターホンシステムは、前記周波数比較手段により前記音声変換周波数検出手段で検出された周波数が前記周波数閾値記憶手段に記憶された周波数の閾値よりも小さいと検出されたとき、前記音声変換出力レベル設定手段が、前記住戸人の音声変換された音声信号の出力レベルを増幅する構成を有している。この構成により、前記音声変換周波数検出手段で検出された周波数が前記周波数閾値記憶手段に記憶された周波数の閾値よりも小さいと検出されたときは、前記住戸人の音声変換された音声信号の出力レベルが増幅されることとなる。
【００１６】
また、本発明のインターホンシステムは、前記周波数比較手段により前記音声変換周波数検出手段で検出された周波数が前記周波数閾値記憶手段に記憶された周波数の閾値よりも大きいと検出されたときは、前記音声変換出力レベル設定手段が、前記住戸人の音声変換された音声信号の出力レベルを減衰する構成を有している。この構成により、前記音声変換周波数検出手段で検出された周波数が前記周波数閾値記憶手段に記憶された周波数の閾値よりも大きいと検出されたときは、前記住戸人の音声変換された音声信号の出力レベルが減衰されることとなる。
【００１７】
また、本発明のインターホンシステムは、前記周波数比較手段により前記音声変換周波数検出手段で検出された周波数が前記周波数閾値設定手段で設定された周波数の閾値よりも小さいと検出されたときは、前記音声変換出力レベル設定手段が、前記住戸人の音声変換された音声信号の出力レベルを増幅する構成を有している。この構成により、前記音声変換周波数検出手段で検出された周波数が前記周波数閾値設定手段で設定された周波数の閾値よりも小さいと検出されたときは、前記住戸人の音声変換された音声信号の出力レベルが増幅されることとなる。
【００１８】
また、本発明のインターホンシステムは、前記周波数比較手段により前記音声変換周波数検出手段で検出された周波数が前記周波数閾値設定手段で設定された周波数の閾値よりも大きいと検出されたときは、前記音声変換出力レベル設定手段が、前記住戸人の音声変換された音声信号の出力レベルを減衰する構成を有している。この構成により、前記音声変換周波数検出手段で検出された周波数が前記周波数閾値設定手段で設定された周波数の閾値よりも大きいと検出されたときは、前記住戸人の音声変換された音声信号の出力レベルが減衰されることとなる。
【００１９】
また、本発明のインターホンシステムは、更に、音声信号を記憶する音声記憶手段を備え、前記音声変換手段が、前記音声記憶手段に記憶された前記音声信号を周波数変換する構成を有している。この構成により、前記音声記憶手段に記憶された前記音声信号が周波数変換されることとなる。
【００２０】
また、本発明のインターホンシステムは、更に、前記音声変換出力レベル設定手段により出力レベルが設定された音声変換後の音声信号を記憶する変換音声記憶手段と、この変換音声記憶手段により記憶された前記音声変換後の音声信号を再生する変換音声再生手段とを備え、前記住戸人が、前記音声変換後の音声信号の出力レベルを前記変換音声再生手段により確認する構成を有している。この構成により、前記音声変換後の音声信号の出力レベルが前記住戸人により確認されることとなる。
【００２１】
また、本発明のインターホンシステムは、前記親機が、前記変換音声再生手段を備え、前記住戸人が、前記音声変換後の音声信号の出力レベルを親機で確認する構成を有している。この構成により、前記音声変換後の音声信号の出力レベルが親機で確認されることとなる。
【００２２】
また、本発明のインターホンシステムは、前記子機が、前記変換音声再生手段を備え、前記住戸人が、前記音声変換後の音声信号の出力レベルを子機で確認する構成を有している。この構成により、前記音声変換後の音声信号の出力レベルが子機で確認されることとなる。
【００２３】
また、本発明のインターホンシステムは、更に、前記音声変換手段に入力される音声信号の入力レベルを予め決められた固定レベルにする音声変換入力レベル固定手段を備えた構成を有している。この構成により、前記音声変換手段に入力される音声信号の入力レベルが予め決められた固定レベルにされることとなる。
【００２４】
また、本発明のインターホンシステムは、更に、前記音声変換手段から出力される音声信号の出力レベルを予め決められた固定レベルにする音声変換出力レベル固定手段を備え構成を有している。この構成により、前記音声変換手段から出力される音声信号の出力レベルが予め決められた固定レベルにされることとなる。
【００２５】
また、本発明のインターホンシステムは、更に、前記来訪者を撮影するカメラユニットと、このカメラユニットで撮影された映像を表示する映像表示手段とを備えた構成を有している。この構成により、前記来訪者が映像表示手段に表示されることとなる。
【００２６】
また、本発明のインターホンシステムは、前記音声変換の周波数を前記映像表示手段に表示する構成を有している。この構成により、前記音声変換の周波数が前記映像表示手段に表示されることとなる。
【００２７】
また、本発明のインターホンシステムは、前記音声変換出力レベル設定手段で設定された前記音声変換後の音声信号の出力レベルを前記映像表示手段に表示する構成を有している。この構成により、前記音声変換後の音声信号の出力レベルが前記映像表示手段に表示されることとなる。
【００２８】
本発明の音声変換出力レベル設定方法は、住戸人が使用する親機使用手順と、来訪者が使用する子機使用手順と、前記住戸人の音声を集音し音声信号に変換する住戸人音声集音工程と、前記音声信号の周波数を変えて音声変換する音声変換工程と、前記住戸人が原音の音声信号および音声変換された音声信号の何れかを選択する音声信号選択工程と、前記音声変換された音声信号の周波数を検出する音声変換周波数検出工程と、この音声変換周波数検出工程において検出された周波数に基づいて前記音声変換工程で出力される前記音声変換された音声信号の出力レベルを設定する音声変換出力レベル設定工程とを含み、前記音声変換出力レベル設定工程において、前記原音の音声信号および前記音声変換された音声信号における通話当量が同じになるよう前記音声変換された音声信号の出力レベルを設定する構成を有している。この構成により、前記音声変換出力レベル設定工程において、前記原音の音声信号および前記音声変換された音声信号における通話当量が同じになるよう前記音声変換された音声信号の出力レベルが設定されることとなる。
【００２９】
また、本発明の音声変換出力レベル設定方法は、更に、前記音声変換の周波数を設定する音声変換周波数設定工程を含む構成を有している。この構成により、前記音声変換の周波数が設定されることとなる。
【００３０】
また、本発明の音声変換出力レベル設定方法は、更に、予め決められた前記音声変換の周波数を記憶する周波数記憶工程を含み、前記音声変換工程において、前記住戸人の音声信号を前記周波数記憶工程において予め記憶された周波数で音声変換する構成を有している。この構成により、前記住戸人の音声信号が前記周波数記憶工程において予め記憶された周波数で音声変換されることとなる。
【００３１】
また、本発明の音声変換出力レベル設定方法は、更に、前記住戸人の音声変換される音声信号の出力レベルを予め記憶する出力レベル記憶工程を含み、前記音声変換出力レベル設定工程において、前記住戸人の音声変換された音声信号のレベルを前記出力レベル記憶工程において予め記憶された出力レベルにする構成を有している。この構成により、前記住戸人の音声変換された音声信号のレベルが前記出力レベル記憶工程において予め記憶された出力レベルにされることとなる。
【００３２】
また、本発明の音声変換出力レベル設定方法は、更に、前記音声変換の周波数を表示する音声変換周波数表示工程を含む構成を有している。この構成により、前記音声変換の周波数が表示されることとなる。
【００３３】
また、本発明の音声変換出力レベル設定方法は、更に、前記音声変換の出力レベルを表示する音声変換出力レベル表示工程を含む構成を有している。この構成により、前記音声変換の出力レベルが表示されることとなる。
【００３４】
また、本発明の音声変換出力レベル設定方法は、更に、前記音声変換の周波数の閾値を記憶する周波数閾値記憶工程と、前記音声変換周波数検出工程で検出された周波数と前記周波数閾値記憶工程において記憶された周波数の閾値を比較する周波数比較工程とを含み、前記音声変換出力レベル設定工程において、前記周波数比較工程の比較結果に基づいて前記住戸人の音声変換された音声信号の出力レベルが設定される構成を有している。この構成により、前記音声変換出力レベル設定工程において、前記周波数比較工程の比較結果に基づいて前記住戸人の音声変換された音声信号の出力レベルが設定されることとなる。
【００３５】
また、本発明の音声変換出力レベル設定方法は、更に、前記周波数の閾値を設定する周波数閾値設定工程を含み、前記音声変換出力レベル設定工程において、前記音声変換周波数検出工程で検出された周波数と前記周波数閾値設定工程で設定された周波数の閾値を前記周波数比較工程で比較した結果に基づいて前記住戸人の音声変換された音声信号の出力レベルが設定される構成を有している。この構成により、前記音声変換出力レベル設定工程において、前記音声変換周波数検出工程で検出された周波数と前記周波数閾値設定工程で設定された周波数の閾値を前記周波数比較工程で比較した結果に基づいて前記住戸人の音声変換された音声信号の出力レベルが設定されることとなる。
【００３６】
また、本発明の音声変換出力レベル設定方法は、前記周波数比較工程において前記音声変換周波数検出工程で検出された周波数が前記周波数閾値記憶工程において記憶された周波数の閾値よりも小さいと検出されたときには、前記音声変換出力レベル設定工程において、前記住戸人の音声変換された音声信号の出力レベルを増幅する構成を有している。この構成により、前記音声変換周波数検出工程で検出された周波数が前記周波数閾値記憶工程において記憶された周波数の閾値よりも小さいと検出されたときには、前記住戸人の音声変換された音声信号の出力レベルが増幅されることとなる。
【００３７】
また、本発明の音声変換出力レベル設定方法は、前記周波数比較工程において前記音声変換周波数検出工程で検出された周波数が前記周波数閾値記憶工程において記憶された周波数の閾値よりも大きいと検出されたとき、前記音声変換出力レベル設定工程において、前記住戸人の音声変換された音声信号の出力レベルを減衰する構成を有している。この構成により、前記音声変換周波数検出工程で検出された周波数が前記周波数閾値記憶工程において記憶された周波数の閾値よりも大きいと検出されたときには、前記住戸人の音声変換された音声信号の出力レベルが減衰されることとなる。
【００３８】
また、本発明の音声変換出力レベル設定方法は、前記周波数比較工程において前記音声変換周波数検出工程で検出された周波数が前記周波数閾値設定工程において設定された周波数の閾値よりも小さいと検出されたときには、前記音声変換出力レベル設定工程において、前記住戸人の音声変換された音声信号の出力レベルを増幅する構成を有している。この構成により、前記音声変換周波数検出工程で検出された周波数が前記周波数閾値設定工程において設定された周波数の閾値よりも小さいと検出されたときには、前記住戸人の音声変換された音声信号の出力レベルが増幅されることとなる。
【００３９】
また、本発明の音声変換出力レベル設定方法は、前記周波数比較工程において前記音声変換周波数検出工程で検出された周波数が前記周波数閾値設定工程において設定された周波数の閾値よりも大きいと検出されたときには、前記音声変換出力レベル設定工程において、前記住戸人の音声変換された音声信号の出力レベルを減衰する構成を有している。この構成により、前記音声変換周波数検出工程で検出された周波数が前記周波数閾値設定工程において設定された周波数の閾値よりも大きいと検出されたときには、前記音声変換出力レベル設定工程において、前記住戸人の音声変換された音声信号の出力レベルが減衰されることとなる。
【００４０】
また、本発明の音声変換出力レベル設定方法は、更に、音声信号を記憶する音声記憶工程を含み、前記音声変換工程において、前記音声記憶工程において記憶された前記音声信号を周波数変換する構成を有している。この構成により、前記音声記憶工程において記憶された前記音声信号が周波数変換されることとなる。
【００４１】
また、本発明の音声変換出力レベル設定方法は、更に、前記音声変換出力レベル設定工程において出力レベルが設定された音声変換後の音声信号を記憶する変換音声記憶工程と、この変換音声記憶工程において記憶された前記音声変換後の音声信号を再生する変換音声再生工程とを含み、前記住戸人が、前記音声変換後の音声信号の出力レベルを前記変換音声再生工程において確認する構成を有している。この構成により、前記音声変換後の音声信号の出力レベルが前記住戸人により確認されることとなる。
【００４２】
また、本発明の音声変換出力レベル設定方法は、前記親機使用手順が、前記変換音声再生工程を含み、前記住戸人が、前記音声変換後の音声信号の出力レベルを親機で確認する構成を有している。この構成により、前記音声変換後の音声信号の出力レベルが前記住戸人により親機で確認されることとなる。
【００４３】
また、本発明の音声変換出力レベル設定方法は、前記子機使用手順が、前記変換音声再生工程を含み、前記住戸人が、前記音声変換後の音声信号の出力レベルを子機で確認する構成を有している。この構成により、前記音声変換後の音声信号の出力レベルが前記住戸人により子機で確認されることとなる。
【００４４】
また、本発明の音声変換出力レベル設定方法は、更に、前記音声変換工程において入力される音声信号の入力レベルを予め決められた固定レベルにする音声変換入力レベル固定工程を含む構成を有している。この構成により、前記音声変換工程において入力される音声信号の入力レベルが予め決められた固定レベルにされることとなる。
【００４５】
また、本発明の音声変換出力レベル設定方法は、更に、前記音声変換工程から出力される音声信号の出力レベルを予め決められた固定レベルにする音声変換出力レベル固定工程を含む構成を有している。この構成により、前記音声変換工程から出力される音声信号の出力レベルが予め決められた固定レベルにされることとなる。
【００４６】
また、本発明の音声変換出力レベル設定方法は、更に、前記来訪者を撮影する撮影工程と、この撮影工程において撮影された映像を表示する映像表示工程とを含む構成を有している。この構成により、前記来訪者が映像表示手段に表示されることとなる。
【００４７】
また、本発明の音声変換出力レベル設定方法は、前記音声変換の周波数を前記映像表示工程において表示する構成を有している。この構成により、前記音声変換の周波数が前記映像表示手段に表示されることとなる。
【００４８】
また、本発明の音声変換出力レベル設定方法は、前記音声変換出力レベル設定工程で設定された前記音声変換後の音声信号の出力レベルを前記映像表示工程において表示する構成を有している。この構成により、前記音声変換後の音声信号の出力レベルが前記映像表示手段に表示されることとなる。
【００４９】
【発明の実施の形態】
以下、本発明の実施の形態について、図面を参照して説明する。
【００５０】
（第１の実施の形態）
図１は、本発明の第１の実施の形態のインターホンシステムのブロック図である。図１に示すように、本実施の形態のインターホンシステムは、住戸人が使用する親機１０１と、来訪者が使用する子機１０２とを備え、親機１０１は、住戸人の音声を集音し音声信号に変換する親機マイクロホン１０３と、音声信号の周波数を変えて音声変換する音声変換手段１０４と、住戸人が原音の音声信号および音声変換された音声信号の何れかを選択する音声変換スイッチ１０５と、音声変換された音声信号の周波数を検出する音声変換周波数検出手段１０６と、この音声変換周波数検出手段１０６により検出された周波数に基づいて音声変換手段１０４から出力される音声変換された音声信号の出力レベルを設定する音声変換出力レベル設定手段１０７と、予め音声変換周波数を記憶する音声変換周波数記憶手段１０８と、音声変換周波数を設定する音声変換周波数設定手段１０９と、親機１０１と子機１０２の通話を制御する通話制御手段１１０と、来訪者の音声信号を出力する親機スピーカ１１１とを備え、子機１０２は、来訪者が住戸人を呼び出す呼出スイッチ１１２と、来訪者の音声を集音し音声信号に変換する子機マイクロホン１１３と、住戸人の音声信号を出力する子機スピーカ１１４とを備えている。
【００５１】
なお、前述の通話制御手段１１０は、親機１０１および子機１０２に備えられた各スイッチの状態を検出して、通話制御手段１１０に接続された機器および手段を制御するようになっている。例えば、来訪者により呼出スイッチ１１２がオンにされた場合は、前述の通話制御手段１１０により、親機スピーカ１１１から呼出音が出力されるようになっている。
【００５２】
また、前述の音声変換出力レベル設定手段１０７は、原音の音声信号（以下、単に原音音声信号という。）および音声変換された音声信号（以下、単に変換音声信号という。）における通話当量が同じになるよう音声変換された音声信号の出力レベルを設定するようになっている。ここで、通話当量とは、親機１０１と子機１０２との通話の良さを評価する基準の１つであり、通話の良さを左右する要因としては、受話音量の大きさ、騒音、反響音等がある。また、通話当量が同じになるようにすることは、特に、親機から出力される原音音声信号および変換音声信号の何れの場合でも、子機スピーカ１１４から出力される音声の大きさが同じになるようにすることをいい、来訪者が受ける受話音量の大きさの観点から通話の良さを改善することをいう。
【００５３】
また、前述の音声変換周波数記憶手段１０８には、１つ以上の音声変換周波数が記憶されるようになっている。また、前述の音声変換周波数設定手段１０９は、音声変換周波数記憶手段１０８に記憶された音声変換周波数を読み出して音声変換手段１０４で生成する変換音声信号の基本周波数を設定するようになっている。この音声変換周波数設定手段１０９で設定する基本周波数は、住戸人が設定および変更できるように構成してもよいし、音声変換周波数記憶手段１０８に記憶された音声変換周波数に応じて自動的に設定するようにしてもよい。
【００５４】
次に、本実施の形態の動作について、図１および図２を参照して説明する。図２は、本実施の形態の音声変換工程のフローチャートである。まず、ステップＳ２０１において、来訪者が呼出スイッチ１１２をオンにすることにより、親機スピーカ１１１に呼出音が発生し、住戸人が呼び出される。次いで、ステップＳ２０２において、音声変換スイッチ１０５により、原音音声信号および変換音声信号の何れかが選択される。ここで、原音音声信号が選択されれば、通話制御手段１１０を介して原音音声信号が子機スピーカ１１４から出力される。一方、変換音声信号が選択された場合は、ステップＳ２０３において、親機マイクロホン１０３により住戸人の音声が集音される。次いで、ステップＳ２０４において、音声変換周波数設定手段１０９により、音声変換周波数記憶手段１０８に記憶された音声変換周波数に基づいて変換音声信号の基本周波数が設定される。次いで、ステップＳ２０５において、音声変換手段１０４により、住戸人の音声信号が前述の基本周波数に基づいて変換音声信号に変換される。例えば、親機マイクロホン１０３で集音された住戸人の音声の基本周波数を１ｋＨｚ、音声変換周波数設定手段１０９で設定された基本周波数を３００Ｈｚとしたときには、音声変換手段１０４により、親機マイクロホン１０３で集音された１ｋＨｚの住戸人の音声信号は、３００Ｈｚの音声信号に変換される。
【００５５】
次いで、ステップＳ２０６において、音声変換周波数検出手段１０６により、前述の変換音声信号の周波数が検出される。次いで、ステップＳ２０７において、音声変換出力レベル設定手段１０７により、前述の音声変換周波数検出手段１０６で検出された音声変換周波数に基づいて音声変換出力レベルが設定される。
【００５６】
ここで、音声変換出力レベルの設定について説明する。一般に、原音音声信号に対して変換音声信号の周波数が低い場合は、子機スピーカ１１４に出力される音声の大きさが原音音声信号よりも変換音声信号の方が小さくなる。一方、原音音声信号に対して変換音声信号の周波数が高い場合は、子機スピーカ１１４に出力される音声の大きさが原音音声信号よりも変換音声信号の方が大きくなる。したがって、音声変換周波数検出手段１０６により検出された周波数が原音音声信号に対して低い場合は音声変換手段１０４の出力レベルを増幅し、音声変換周波数検出手段１０６により検出された周波数が原音音声信号に対して高い場合は音声変換手段１０４の出力レベルを減衰するように音声変換出力レベル設定手段１０７で変換音声の増幅率を決めることにより、原音音声信号および変換音声信号における通話当量が同じになるように設定する。
【００５７】
次いで、ステップＳ２０８において、変換音声信号が通話制御手段１１０を介して子機スピーカ１１４により音声に変換されて出力される。
【００５８】
なお、前述の音声変換工程をプログラミングすることにより、コンピュータに音声変換を実行させることができる。
【００５９】
以上のように、本発明の実施の形態のインターホンシステムによれば、変換音声の周波数に基づいて変換音声の出力レベルを設定する構成としたので、原音音声信号および変換音声信号における通話当量が同じになるように設定でき、聞き取り易い音声で来訪者と応対することができる。
【００６０】
（第２の実施の形態）
図３は、本発明の第２の実施の形態のインターホンシステムのブロック図である。図３に示すように、本実施の形態のインターホンシステムは、住戸人が使用する親機１０１と、来訪者が使用する子機１０２とを備え、親機１０１は、住戸人の音声を集音し音声信号に変換する親機マイクロホン１０３と、音声信号の周波数を変えて音声変換する音声変換手段１０４と、住戸人が原音の音声信号および音声変換された音声信号の何れかを選択する音声変換スイッチ１０５と、音声変換された音声信号の周波数を検出する音声変換周波数検出手段１０６と、この音声変換周波数検出手段１０６により検出された周波数に基づいて音声変換手段１０４から出力される音声変換された音声信号の出力レベルを設定する音声変換出力レベル設定手段１０７と、予め音声変換周波数を記憶する音声変換周波数記憶手段１０８と、音声変換周波数を設定する音声変換周波数設定手段１０９と、親機１０１と子機１０２の通話を制御する通話制御手段１１０と、来訪者の音声信号を出力する親機スピーカ１１１と、予め音声を記憶させておく音声記憶手段１１５と、親機マイクロホン１０３および音声記憶手段１１５の何れかを選択する音声選択手段１１６と、予め周波数の閾値を記憶させておく周波数閾値記憶手段１１７と、周波数閾値を設定する周波数閾値設定手段１１８と、音声変換周波数検出手段１０６で検出された周波数と周波数閾値設定手段１１８で設定された閾値周波数とを比較する周波数比較手段１１９と、音声変換出力レベル設定手段１０７の出力レベルを記憶する変換音声記憶手段１２０と、変換音声を再生する変換音声再生手段１２１とを備え、子機１０２は、来訪者が住戸人を呼び出す呼出スイッチ１１２と、来訪者の音声を集音し音声信号に変換する子機マイクロホン１１３と、住戸人の音声信号を出力する子機スピーカ１１４とを備えている。
【００６１】
なお、前述の通話制御手段１１０は、親機１０１および子機１０２に備えられた各スイッチの状態を検出して、通話制御手段１１０に接続された機器および手段を制御するようになっている。例えば、来訪者により呼出スイッチ１１２がオンにされた場合は、前述の通話制御手段１１０により、親機スピーカ１１１から呼出音が出力されるようになっている。
【００６２】
また、前述の音声変換出力レベル設定手段１０７は、原音音声信号および変換音声信号における通話当量が同じになるよう音声変換された音声信号の出力レベルを設定するようになっている。
【００６３】
また、前述の周波数閾値記憶手段１１７には、１つ以上の周波数閾値が記憶されるようになっている。また、前述の周波数閾値設定手段１１８は、周波数閾値記憶手段１１７に記憶された周波数閾値を読み出して周波数閾値を設定するようになっている。この周波数閾値設定手段１１８で設定する周波数閾値は、住戸人が設定および変更できるように構成してもよい。
【００６４】
さらに、周波数閾値設定手段１１８で設定された周波数閾値は、周波数比較手段１１９に出力するようになっている。また、周波数比較手段１１９は、周波数閾値設定手段１１８で設定された周波数閾値と音声変換周波数検出手段１０６で検出された変換音声信号の周波数とを比較するようになっており、この比較結果は、例えば、周波数閾値設定手段１１８で設定された周波数閾値を基準として音声変換周波数検出手段１０６で検出された変換音声信号の周波数との差分の周波数を、周波数比較手段１１９が音声変換出力レベル設定手段１０７に出力するようになっている。
【００６５】
次に、本実施の形態の動作について、図３および図４を参照して説明する。図４は、本実施の形態の音声変換工程のフローチャートである。まず、ステップＳ２０１において、来訪者が呼出スイッチ１１２をオンにすることにより、親機スピーカ１１１に呼出音が発生し、住戸人が呼び出される。次いで、ステップＳ４０１において、音声選択手段１１６により、親機マイクロホン１０３および音声記憶手段１１５の何れかの音声が選択される。ここで、音声選択手段１１６により、親機マイクロホン１０３が選択された場合は親機マイクロホン１０３により集音された住戸人の音声が音声変換スイッチ１０５に出力され、音声記憶手段１１５が選択された場合は音声記憶手段１１５に記憶された音声が音声変換スイッチ１０５に出力される。次いで、ステップＳ２０２において、音声変換スイッチ１０５により、原音音声信号および変換音声信号の何れかが選択される。ここで、原音音声信号が選択されれば、通話制御手段１１０を介して原音音声信号が子機スピーカ１１４から出力される。一方、変換音声信号が選択されれば、ステップＳ２０５において、音声変換手段１０４により、住戸人の音声信号が変換音声信号に変換される。
【００６６】
次いで、ステップＳ２０６において、音声変換周波数検出手段１０６により、変換音声信号の周波数が検出される。次いで、ステップＳ４０２において、周波数比較手段１１９により、前述の周波数閾値設定手段１１８で設定された周波数閾値と音声変換周波数検出手段１０６で検出された変換音声信号の周波数とが比較される。次いで、ステップＳ２０７において、音声変換出力レベル設定手段１０７により、周波数比較手段１１９の比較結果に基づいて音声変換出力レベルが設定される。
【００６７】
ここで、音声変換出力レベルの設定について説明する。一般に、原音音声信号に対して変換音声信号の周波数が低い場合は、子機スピーカ１１４に出力される音声の大きさが原音音声信号よりも変換音声信号の方が小さくなる。一方、原音音声信号に対して変換音声信号の周波数が高い場合は、子機スピーカ１１４に出力される音声の大きさが原音音声信号よりも変換音声信号の方が大きくなる。したがって、音声変換周波数検出手段１０６により検出された周波数が予め周波数閾値記憶手段１１７に記憶された周波数閾値に対して小さい場合は音声変換手段１０４の出力レベルを増幅し、音声変換周波数検出手段１０６により検出された周波数が予め周波数閾値記憶手段１１７に記憶された周波数閾値に対して大きい場合は音声変換手段１０４の出力レベルを減衰するように音声変換出力レベル設定手段１０７で変換音声の増幅率を決めることにより、原音音声信号および変換音声信号における通話当量が同じになるように設定する。
【００６８】
なお、周波数閾値は、予め周波数閾値記憶手段１１７に複数記憶させ、周波数閾値設定手段１１８で複数の閾値を設定するようにすれば、さらに細かい音声変換出力レベルの設定ができる。
【００６９】
次いで、ステップＳ４０３において、音声変換出力レベル設定手段１０７で出力レベルが設定された変換音声を記憶させるか否かが選択される。変換音声を記憶させない場合は、ステップＳ２０８において、変換音声信号が通話制御手段１１０を介して子機スピーカ１１４により音声に変換されて出力される。一方、変換音声を記憶させる場合は、ステップＳ４０４において、変換音声記憶手段１２０により、変換音声が記憶される。次いで、ステップＳ４０５において、記憶された変換音声を再生するか否かが選択される。記憶された変換音声を再生させない場合は、ステップＳ２０８において、変換音声信号が通話制御手段１１０を介して子機スピーカ１１４により音声に変換されて出力される。一方、記憶された変換音声信号を再生させる場合は、ステップＳ４０６において、変換音声再生手段１２１により、変換音声信号が親機スピーカ１１１に出力される。次いで、ステップＳ４０７において、親機スピーカ１１１により変換音声信号が音声に変換されて出力される。
【００７０】
なお、前述の変換音声再生手段１２１の出力を子機スピーカ１１４から出力させて、住戸人が子機スピーカ１１４で記憶された変換音声を再生できるようにしてもよい。また、前述の音声変換工程をプログラミングすることにより、コンピュータに音声変換を実行させることができる。
【００７１】
以上のように、本発明の実施の形態のインターホンシステムによれば、変換音声の周波数と予め記憶された周波数閾値とを比較して変換音声の出力レベルを設定する構成としたので、原音音声信号および変換音声信号における通話当量が同じになるように設定でき、聞き取り易い音声で来訪者と応対することができる。また、変換音声を記憶できる構成としたので、変換音声信号を親機スピーカまたは子機スピーカから再生し、変換音声の出力レベルを確認することができる。
【００７２】
（第３の実施の形態）
図５は、本発明の第３の実施の形態のインターホンシステムのブロック図である。図５に示すように、本実施の形態のインターホンシステムは、住戸人が使用する親機１０１と、来訪者が使用する子機１０２とを備え、親機１０１は、住戸人の音声を集音し音声信号に変換する親機マイクロホン１０３と、音声信号の周波数を変えて音声変換する音声変換手段１０４と、住戸人が原音の音声信号および音声変換された音声信号の何れかを選択する音声変換スイッチ１０５と、音声変換された音声信号の周波数を検出する音声変換周波数検出手段１０６と、この音声変換周波数検出手段１０６により検出された周波数に基づいて音声変換手段１０４から出力される音声変換された音声信号の出力レベルを設定する音声変換出力レベル設定手段１０７と、親機１０１と子機１０２の通話を制御する通話制御手段１１０と、音声変換手段に入力される音声信号の入力レベルを予め決められた固定レベルにする音声変換入力レベル固定手段１２２と、変換音声の周波数を表示する音声変換周波数表示手段１２３と、音声変換出力レベル設定手段１０７の出力レベルを予め記憶する出力レベル記憶手段１２４と、音声変換出力レベル設定手段１０７の出力レベルを表示する音声変換出力レベル表示手段１２５と、来訪者の映像を表示する映像表示手段１２７とを備え、子機１０２は、来訪者が住戸人を呼び出す呼出スイッチ１１２と、来訪者の音声を集音し音声信号に変換する子機マイクロホン１１３と、住戸人の音声信号を出力する子機スピーカ１１４と、来訪者を撮影するカメラユニット１２６とを備えている。
【００７３】
なお、前述の通話制御手段１１０は、親機１０１および子機１０２に備えられた各スイッチの状態を検出して、通話制御手段１１０に接続された機器および手段を制御するようになっている。例えば、来訪者により呼出スイッチ１１２がオンにされた場合は、前述の通話制御手段１１０により、親機スピーカ１１１から呼出音が出力されるようになっている。
【００７４】
また、前述の音声変換出力レベル設定手段１０７は、原音音声信号および変換音声信号における通話当量が同じになるよう音声変換された音声信号の出力レベルを設定するようになっている。
【００７５】
また、前述の出力レベル記憶手段１２４には、音声変換出力レベル設定手段１０７で設定する１つ以上の出力レベルが記憶されるようになっている。
【００７６】
次に、本実施の形態の動作について、図５および図６を参照して説明する。図６は、本実施の形態の音声変換工程のフローチャートである。まず、ステップＳ２０１において、来訪者が呼出スイッチ１１２をオンにすることにより、親機スピーカ１１１に呼出音が発生し、住戸人が呼び出される。次いで、ステップＳ６０１において、カメラユニット１２６により、来訪者が撮影される。次いで、ステップＳ６０２において、映像表示手段１２７により、撮影された来訪者の映像が表示される。次いで、ステップＳ２０２において、音声変換スイッチ１０５により、原音音声信号および変換音声信号の何れかが選択される。ここで、原音音声信号が選択されれば、通話制御手段１１０を介して原音音声信号が子機スピーカ１１４から出力される。一方、変換音声信号が選択された場合は、ステップＳ２０３において、親機マイクロホン１０３により住戸人の音声が集音される。次いで、ステップＳ６０３において、音声変換入力レベル固定手段１２２により、親機マイクロホン１０３から出力された音声信号のレベルが予め決められた固定値に設定され、音声変換手段１０４に出力される。したがって、親機マイクロホン１０３に入力される住戸人の音声の強弱に係わらず、音声変換手段１０４に入力される住戸人音声信号は固定レベルにされる。
【００７７】
次いで、ステップＳ２０５において、音声変換手段１０４により、住戸人の音声信号が変換音声信号に変換される。次いで、ステップＳ６０４において、変換音声信号の周波数が音声変換周波数表示手段１２３により表示される。次いで、ステップＳ２０６において、音声変換周波数検出手段１０６により、前述の変換音声信号の周波数が検出される。次いで、ステップＳ２０７において、音声変換出力レベル設定手段１０７により、前述の音声変換周波数検出手段１０６で検出された音声変換周波数に基づいて音声変換出力レベルが設定される。
【００７８】
ここで、音声変換出力レベルの設定について説明する。一般に、原音音声信号に対して変換音声信号の周波数が低い場合は、子機スピーカ１１４に出力される音声の大きさが原音音声信号よりも変換音声信号の方が小さくなる。一方、原音音声信号に対して変換音声信号の周波数が高い場合は、子機スピーカ１１４に出力される音声の大きさが原音音声信号よりも変換音声信号の方が大きくなる。したがって、音声変換周波数検出手段１０６により検出された周波数が原音音声信号に対して低い場合は音声変換手段１０４の出力レベルを出力レベル記憶手段１２４に記憶された出力レベルになるよう増幅し、音声変換周波数検出手段１０６により検出された周波数が原音音声信号に対して高い場合は音声変換手段１０４の出力レベルを出力レベル記憶手段１２４に記憶された出力レベルになるよう減衰するように音声変換出力レベル設定手段１０７で変換音声の増幅率を決めることにより、原音音声信号および変換音声信号における通話当量が同じになるように設定する。
【００７９】
なお、出力レベルは、予め出力レベル記憶手段１２４に複数記憶させ、周波数閾値設定手段１１８で複数の閾値を設定するようにすれば、さらに細かい音声変換出力レベルの設定ができる。
【００８０】
次いで、ステップＳ６０５において、音声変換出力レベル設定手段１０７で設定された変換音声信号の出力レベルが音声変換出力レベル表示手段１２５により表示される。次いで、ステップＳ２０８において、変換音声信号が通話制御手段１１０を介して子機スピーカ１１４により音声に変換されて出力される。
【００８１】
なお、前述の音声変換入力レベル固定手段１２２に代えて、音声変換手段１０４から出力される変換音声信号の出力レベルを予め設定された固定値にするように構成してもよい。
【００８２】
また、前述の映像表示手段１２７に、変換音声の周波数および出力レベルを表示するようにしてもよい。
【００８３】
また、前述の音声変換工程をプログラミングすることにより、コンピュータに音声変換を実行させることができる。
【００８４】
以上のように、本発明の実施の形態のインターホンシステムによれば、来訪者の映像を表示する映像表示手段を備え、変換音声の周波数および出力レベルを表示するような構成としたので、住戸人が来訪者の映像、変換音声の周波数および出力レベルを確認しながら来訪者と応対することができる。
【００８５】
【発明の効果】
以上説明したように、本発明によれば、変換音声の周波数に基づいて変換音声の出力レベルを設定する構成としたので、原音音声信号および変換音声信号における通話当量が同じになるように設定でき、聞き取り易い音声で来訪者と応対することができる。
【図面の簡単な説明】
【図１】本発明の第１の実施の形態のインターホンシステムのブロック図
【図２】本発明の第１の実施の形態の音声変換出力レベル設定工程のフローチャート
【図３】本発明の第２の実施の形態のインターホンシステムのブロック図
【図４】本発明の第２の実施の形態の音声変換出力レベル設定工程のフローチャート
【図５】本発明の第３の実施の形態のインターホンシステムのブロック図
【図６】本発明の第３の実施の形態の音声変換出力レベル設定工程のフローチャート
【図７】従来のインターホンシステムのブロック図
【符号の説明】
１  親機
２  子機
３  親機マイクロホン
４  親機スピーカ
５  音声変換回路
６  音声変換スイッチ
７  制御回路
８  呼出スイッチ
９  子機マイクロホン
１０  子機スピーカ
１０１  親機
１０２  子機
１０３  親機マイクロホン
１０４  音声変換手段
１０５  音声変換スイッチ
１０６  音声変換周波数検出手段
１０７  音声変換出力レベル設定手段
１０８  音声変換周波数記憶手段
１０９  音声変換周波数設定手段
１１０  通話制御手段
１１１  親機スピーカ
１１２  呼出スイッチ
１１３  子機マイクロホン
１１４  子機スピーカ
１１５  音声記憶手段
１１６  音声選択手段
１１７  周波数閾値記憶手段
１１８  周波数閾値設定手段
１１９  周波数比較手段
１２０  変換音声記憶手段
１２１  変換音声再生手段
１２２  音声変換入力レベル固定手段
１２３  音声変換周波数表示手段
１２４  出力レベル記憶手段
１２５  音声変換出力レベル表示手段
１２６  カメラユニット
１２７  映像表示手段
【図１】
0003840140.tif 000002
【図２】
0003840140.tif 000003
【図３】
0003840140.tif 000004
【図４】
0003840140.tif 000005
【図５】
0003840140.tif 000006
【図６】
0003840140.tif 000007
【図７】
0003840140.tif 000008